(57)【特許請求の範囲】
【請求項１】
看護師を呼び出す機能を有しベッド毎に設置されるナースコール子機と、前記ナースコール子機からの呼び出しに応答する機能を有しナースステーションに設置されるナースコール親機と、前記ナースコール子機による呼び出しが発生したことを病室前で点灯表示する廊下灯と、前記ナースコール子機からの呼び出しを検出して前記廊下灯の点灯を制御するために廊下灯毎に設置される廊下灯アダプタと、前記廊下灯アダプタと前記ナースコール親機との間の通信を制御する制御機とを備えたナースコールシステムにおいて、
前記ナースコール子機は、壁面に設置された壁面子機と患者が操作する呼出子機とで構成される一方、
前記廊下灯アダプタのうち個室用廊下灯アダプタは、前記壁面子機が接続される複数の子機接続部と、前記子機接続部の夫々において呼出子機の接続／未接続を検知し、前記壁面子機の使用状態を判断する子機状況判定部とを有し、
前記子機状況判定部は、何れか１つの前記壁面子機にのみ前記呼出子機の接続を認識する以外を断線発生と判断し、断線信号を生成して前記ナースコール親機に送信することを特徴とするナースコールシステム。
【請求項２】
前記子機状況判定部は、前記呼出子機の接続を確認した前記子機接続部が未接続状態に変化し、その後所定時間の間に他の子機接続部に前記呼出子機の接続を認識できない場合に断線信号を生成して前記ナースコール親機に送信することを特徴とする請求項１記載のナースコールシステム。
【発明の詳細な説明】
【技術分野】
【０００１】
本発明は、患者が看護師を呼び出すためのナースコールシステムに関し、特に病室内においてベッド位置の変更に対応できるナースコールシステムに関する。
【背景技術】
【０００２】
ナースコールシステムは、ベッド毎に看護師を呼び出して通話するためのナースコール子機を設置し、呼び出しに応答するためのボード型親機と、パーソナルコンピュータを使用してディスプレイに必要な情報を表示するＰＣ型親機とから成るナースコール親機をナースステーションに設置したシステムが普及している（例えば、特許文献１参照）。
このようなナースコールシステムのナースコール子機は、患者が看護師を呼び出す際に操作する呼出子機と、この呼出子機の接続端子を備えて壁面に設置される壁面子機とで構成され、通話するためのマイク、スピーカは壁面子機に設けたり呼出子機に設けられ、これら呼出子機と壁面子機は対を成してベッド数に合わせて設置されていた。
【先行技術文献】
【特許文献】
【０００３】
【特許文献１】特開２００４−９６４０９号公報
【発明の概要】
【発明が解決しようとする課題】
【０００４】
上述したように従来のナースコールシステムの場合、ベッドの数に合わせてナースコール子機が設置されるため、個室には１台のナースコール子機、即ち呼出子機と壁面子機とが一対しか設置されなかった。そのため、ベッド位置は患者が操作する呼出子機の移動範囲で制限されていた。どうしてもこの範囲を越えて移動させる必要が生じた場合は、呼出子機に延長コードを接続して対応するしかなく、この場合コードが看護作業に邪魔になるし、圧迫や引っ張り等で断線が発生し易くなり、安全上や信頼性の点で問題があった。
【０００５】
しかしながら、個室において患者の病状や希望或いは医療機器の配置に合わせてベッド位置を容易に変更できるようにしたい要望がある。また、近年では２人部屋を個室にして使用する場合があり、その場合ベッド位置を変更するスペースは十分確保されているにも関わらず、２つある壁面子機の一方を未使用にする場合は、ナースコール子機の一方を取り外したり、ナースコール親機において一方を未使用にする設定変更を行い、エラーの発生を無くす面倒な操作が必要であり、ベッド位置に応じて２つの壁面子機を使い分けることはできなかった。
【０００６】
そこで、本発明はこのような問題点に鑑みなされたもので、従来のナースコールシステムのシステム変更や面倒な設定変更操作を必要とせず、個室においてベッド位置の変更をし易くしたナースコールシステムを提供することを目的としている。
【課題を解決するための手段】
【０００７】
上記課題を解決する為に、請求項１の発明は、看護師を呼び出す機能を有しベッド毎に設置されるナースコール子機と、ナースコール子機からの呼び出しに応答する機能を有しナースステーションに設置されるナースコール親機と、ナースコール子機による呼び出しが発生したことを病室前で点灯表示する廊下灯と、ナースコール子機からの呼び出しを検出して廊下灯の点灯を制御するために廊下灯毎に設置される廊下灯アダプタと、廊下灯アダプタとナースコール親機との間の通信を制御する制御機とを備えたナースコールシステムにおいて、ナースコール子機は、壁面に設置された壁面子機と患者が操作する呼出子機とで構成される一方、廊下灯アダプタのうち個室用廊下灯アダプタは、壁面子機が接続される複数の子機接続部と、子機接続部の夫々において呼出子機の接続／未接続を検知し、壁面子機の使用状態を判断する子機状況判定部とを有し、子機状況判定部は、何れか１つの壁面子機にのみ呼出子機の接続を認識する以外を断線発生と判断し、断線信号を生成してナースコール親機に送信することを特徴とする。
この構成によれば、壁面子機を複数箇所に設けても、呼出子機が接続されている壁面子機を廊下灯アダプタが把握し、何れか１つの壁面子機にのみ呼出子機の接続を認識する以外を断線発生と判断する。即ち１つの壁面子機に呼出子機が接続されていれば断線と認識しない。よって、１つの呼出子機に対して複数の壁面子機を対応させることができ、個室でのベッド位置の変更を容易に実施することが可能となる。そして、呼出子機が外れたらそれを検知できる。
また、二人部屋を個室に変更する場合等、廊下灯アダプタのみ変更すれば良く、従来のシステムを大きく変更する必要が無い。
【０００８】
請求項２の発明は、請求項１に記載の構成において、子機状況判定部は、呼出子機の接続を確認した子機接続部が未接続状態に変化し、その後所定時間の間に他の子機接続部に呼出子機の接続を認識できない場合に断線信号を生成してナースコール親機に送信することを特徴とする。
この構成によれば、稼働時に呼出子機が外れたらそれを検知できるし、ベッド移動により呼出子機を接続する壁面子機が変更された場合は、変更を自動認識して断線発生と判断しない。よって、使用する壁面子機を変更する度にナースコール親機等で別途接続変更操作を必要としない。
【発明の効果】
【０００９】
本発明によれば、壁面子機を複数箇所に設けても、呼出子機が接続されている壁面子機を廊下灯アダプタが把握し、何れか１つの壁面子機に呼出子機が接続されていれば断線と認識しない。よって、１つの呼出子機に対して複数の壁面子機を対応させることができ、個室でのベッド位置の変更を容易に実施することが可能となる。そして、呼出子機が外れたらそれを検知できる。
また、二人部屋を個室に変更する場合等、廊下灯アダプタのみ変更すれば良く、従来のシステムを大きく変更する必要が無いし、使用する壁面子機を変更する度に設定し直す面倒な操作も必要ない。
【図面の簡単な説明】
【００１０】
【図１】本発明に係るナースコールシステムの一例を示す構成図であり、個室を中心としたシステムを示している。
【図２】個室用廊下灯アダプタのナースコール子機認識動作の流れを示すフローチャートである。
【図３】個室用廊下灯アダプタのナースコール子機認識動作の流れを示すフローチャートである。
【発明を実施するための形態】
【００１１】
以下、本発明を具体化した実施の形態を、図面に基づいて詳細に説明する。図１は本発明に係るナースコールシステムの一例を示している。図１において、１は患者が看護師を呼び出すためのナースコール子機、２は病室前に設置されて患者がナースコール子機１を呼出操作したときに点灯表示する廊下灯、３はナースコール子機１から呼び出しがあったことを検出して廊下灯２を点灯制御する廊下灯アダプタ、４は患者からの呼び出しに応答し通話するナースコール親機、５は廊下灯アダプタ３とナースコール親機４の間の通信を制御する制御機である。但し、廊下灯アダプタ３は個室に対応した個室用廊下灯アダプタを示し、そのうちの１つを回路ブロック図で示している。
【００１２】
廊下灯２及び廊下灯アダプタ３は病室毎に設置され、ナースコール子機１は病室毎に廊下灯アダプタ３に伝送線Ｌ１を介して接続されている。廊下灯アダプタ３は、廊下灯幹線Ｌ２を介して制御機５に接続され、制御機５は伝送線Ｌ３を介してナースコール親機４に接続されている。
【００１３】
ナースコール子機１は、壁面子機１ａと呼出子機１ｂとで構成され、壁面子機１ａは呼出子機１ｂを接続するためのコネクタ１０、患者が看護師と通話するためのマイク１１及びスピーカ１２を備えている。呼出子機１ｂは押しボタン１３を有し、ケーブルＬ５を介して壁面子機１ａに接続され、ベッド上或いはベッド近傍の任意の場所に置かれて看護師を呼び出す際に押しボタン１３が押下操作される。
【００１４】
廊下灯アダプタ３は、図１に示すように、ナースコール子機１の接続状況等を記憶する記憶部１６、所定時間をカウントするタイマ部１７、ナースコール親機４と通信するための第１インターフェース（第１ＩＦ）１８、ナースコール子機１と通信するための第２インターフェース（第２ＩＦ）１９、廊下灯アダプタ３を制御するアダプタＣＰＵ２０等を備えている。第２ＩＦ１９は、ナースコール子機１を接続する２つの接続部（第１接続部１９ａ、第２接続部１９ｂ）を備えている。
【００１５】
次に、上記構成のナースコールシステムの動作を説明する。但し、ナースコールの呼び出し応答動作は従来のナースコールシステムと同様であるため説明を省略し、ここでは廊下灯アダプタ３によるナースコール子機の接続判定処理を説明する。
廊下灯アダプタ３は、接続されているナースコール子機１が呼出操作されたら、呼出信号を制御機５を経由してナースコール親機４に送信し、廊下灯２を点灯制御する従来の動作を実施する一方で、以下の動作を行う。
【００１６】
最初にシステムの電源が投入されたら（正確には、廊下灯アダプタ３の電源が投入されたら）初期判定処理動作を実施する。この初期判定処理により、廊下灯アダプタ３の第２ＩＦ１９に接続されたナースコール子機１が、第１接続部１９ａ、第２接続部１９ｂの何れに接続されているか判断する。図２はこの初期判定処理の流れを示すフローチャートであり、この図を参照して説明する。
【００１７】
制御機５の電源投入を受けて、廊下灯アダプタ３に電力が供給される。起動した廊下灯アダプタ３は、アダプタＣＰＵ２０の制御で次のような制御を行う。まず、第２ＩＦ１９の第１接続部１９ａに接続されている壁面子機１ａに呼出子機１ｂが接続されているか判断する(Ｓ１）。その後、第２接続部１９ｂに接続されている壁面子機１ｂに呼出子機１ｂが接続されているか判断する(Ｓ２，Ｓ３）。この判断は、壁面子機１ａに呼出子機１ｂが接続されているかどうか、例えばコネクタ１０のインピーダンスを管理することで実施される。
【００１８】
こうして、第１接続部１９ａの壁面子機１ａのみに呼出子機１ｂが接続されていると判断したら、第１接続部１９ａとナースコール親機４との通信ラインを確立して第１接続部１９ａを介してナースコール子機１を稼働させる（Ｓ６）。逆に、第２接続部１９ｂのみに呼出子機１ｂが接続されていると判断したら、第２接続部１９ｂとナースコール親機４との通信ラインを確立して第２接続部１９ｂを介してナースコール子機１を稼働させる(Ｓ４)。
そして、第２ＩＦ１９の２つの接続部１９ａ，１９ｂのうちどちらと通信ラインを確立したか記憶部１６に記憶する。
【００１９】
また、第１接続部１９ａ及び第２接続部１９ｂの双方に呼出子機１が接続されていると判断した場合、および双方共に未接続であると判断した場合は、脱落又は断線発生と判断して第１ＩＦ１８、制御機５を介してナースコール親機４に断線信号を送信し、ナースコール親機４において断線発生の警報を発報させる（Ｓ５）。この警報を受けて、看護師等がナースコール子機１の脱落又は断線を確認して修復したあと所定の復旧操作(Ｓ７)が行われたら、発報を停止（Ｓ８）して再度ナースコール子機１の初期判断処理を行う。
【００２０】
こうして、壁面子機１ａを２箇所に設けても、廊下灯アダプタ３が呼出子機１ｂが接続されている壁面子機１ａを把握し、何れか１つの壁面子機１ａに呼出子機１ｂが接続されていれば断線と認識しない。よって、１つの呼出子機１ｂに対して２つの壁面子機１ａを対応させることができ、個室でのベッド位置の変更を容易に実施することが可能となる。
また、二人部屋を個室に変更する場合等、廊下灯アダプタ３のみ変更すれば良く、従来のシステムを大きく変更する必要が無い。
そして、起動時や復旧操作時に呼出子機１ｂが何れの壁面子機１ａにも接続されていなければ、ナースコール親機４が警報を発報するので、看護師は速やかにそれを認識でき、対処し易い。
【００２１】
次に、システムが稼動している状態でナースコール子機１に脱落や断線が発生したときの動作（自動接続判断処理）を説明する。この処理は、ナースコール子機１の初期判断処理が実施された後、引き続き実施される。図３は、この自動接続判断処理の流れを示すフローチャートであり、このフローに基づいて説明する。
尚、ここでは第１接続部１９ａに接続された壁面子機１ａに呼出子機１ｂが接続された状態で稼動しているものとする。
【００２２】
システム稼動状態において、第１接続部１９ａに接続されたナースコール子機１の呼出子機１ｂの脱落等が発生(Ｓ１１)すると、タイマ部１７が例えば２０秒の計時を開始する(Ｓ１２）。尚、アダプタＣＰＵ２０は、第１接続部１９ａ及び第２接続部１９ｂに接続されている壁面子機１ａのコネクタ１０の状態、例えはコネクタ１０のインピーダンスを常時監視しており、このインピーダンスの変化から呼出子機１ｂの脱落等を判断する。
【００２３】
このとき、即ちタイマ部１７がタイムアップする前に、断線が復旧して第１接続部１９ａにおいて呼出子機１ｂの接続が認識されたら(Ｓ１３でＹ)、第１接続部１９ａに接続されたナースコール子機１が稼働されて稼動が再開される（Ｓ１５）。この場合、コネクタ１０から、呼出子機１ｂの一時的な脱落が発生したが直ぐに接続されたと判断され稼働が再開される。
しかし、２０秒間第１接続部１９ｂに呼出子機１ｂが接続されなかったら（Ｓ１４でＹ）、次に第２接続部１９ｂに接続された壁面子機１ａに呼出子機１ｂが接続されているか判断する(Ｓ１６)。このとき、呼出子機１ｂが接続されていると判断されると、第２接続部１９ｂに接続されたナースコール子機１が稼働される（Ｓ１８）。また、接続の変更を受けて、記憶部１６を書き換える。この場合、ベッドが移動されて使用する壁面子機１ａが変更されたと判断され、通信ラインが変更される。
尚、２０秒の経過を待って呼出子機１ｂの接続を判断（Ｓ１４）する理由は、ベッドの移動頻度が、呼出子機１ｂの脱落頻度に比べて極めて少ないためである。
【００２４】
しかし、第２接続部１９ｂにも呼出子機１ｂが接続されていないと判断したら（Ｓ１６でＮ）、脱落断線と判断して第１ＩＦ１８、制御機５を介してナースコール親機４に断線信号を送信し、ナースコール親機４において断線発生の警報を発報させる（Ｓ１７)。
ナースコール親機４の発報により脱落発生を認識した看護師等により、ナースコール子機１の脱落又は断線の修復が成されたあと所定の復旧操作(Ｓ１９)が行われたら、発報が停止（Ｓ２０）して再度２０秒のカウントがスタート（Ｓ１２）し、ナースコール子機１の自動接続判断処理が継続される。
【００２５】
このように、システム稼働時に呼出子機１ｂが外れたらそれを検知できるし、ベッド移動により呼出子機１ｂを接続する壁面子機１ａが変更されても、それを自動認識して新たに呼出子機１ｂが接続されたナースコール子機１を稼働してナースコール親機との間の通信ラインを確立するため、別途接続変更操作を必要としない。
【００２６】
尚、上記実施形態では、廊下灯アダプタ３に２個のナースコール子機１の接続部１９ａ，１９ｂを設けて、呼出子機１ｂを２箇所の間で変更可能としているが、壁面子機１ａを３個或いはそれ以上設置して、呼出子機１ｂを複数ヶ所に亘り変更可能とする構成も容易に実施できる。
また、ナースコール子機１を、マイク１１及びスピーカ１２を内蔵した壁面子機１ａと呼出ボタン１３を備えた呼出子機１ｂとで構成しているが、壁面子機１ａは呼出子機１ｂを接続するコネクタ１０のみ備え、呼出子機１ｂにマイク及びスピーカを設けた構成としても良い。更に、廊下灯アダプタ３と廊下灯２は一体に形成しても良い。
【符号の説明】
【００２７】
１・・ナースコール子機、１ａ・・壁面子機、１ｂ・・呼出子機、２・・廊下灯、３・・廊下灯アダプタ（個室用廊下灯アダプタ）、４・・ナースコール親機、５・・制御機、１７・・タイマ部、１９・・第２ＩＦ、１９ａ・・第１接続部、１９ｂ・・第２接続部、２０・・アダプタＣＰＵ（子機状況判定部）。
【図１】
0005406139.tif 000002
【図２】
0005406139.tif 000003
【図３】
0005406139.tif 000004